(57)【要約】【課題】  自動止め合わせ式スタンド装置の提供。【解決手段】  カバー、連接棒、スライドブロック、及び回転軸間の相互連動により、並びに回転軸に嵌合された螺旋バネの提供する軸方向スライドと径方向回転の付勢力により、回転軸に組み合わされたサポートアームが閉合するか、或いは携帯式コンピュータ装置上に自動弾性突出し、即ち自動止め合わせにより携帯式コンピュータ装置を支持する方式で使用上の便利性を増し、且つ使用者がスタンド装置を展開或いは閉合する時、サポートアームを手で駆動することによる部品間の磨損と、磨損による支持機能喪失の問題を防止できる。【選択図】        図２
2005115899.tif 000002
【特許請求の範囲】
【請求項１】
携帯式コンピュータ装置の分離式ベースに組み付けられ、該分離式ベースの上表面に枢設構造と、軸方向が該枢設構造に平行な枢設孔が設けられ、該枢設構造及び枢設孔の間に横向きスライド構造が横向きに設けられ、別に分離式ベースの上表面に少なくとも一つの係合凹溝が設けられた自動止め合わせ式スタンド装置であり、
該自動止め合わせ式スタンド装置が、カバー、回転軸、螺旋バネ、連接棒、及びスライドブロックを具え、
該カバーは、枢設側を具え、該枢設側は上述の分離式ベースの枢設構造に枢設され、且つカバーに分離式ベースの少なくとも一つの係合凹溝に対応し係合可能な少なくとも一つの係合凸点が設けられ、
該回転軸は、その一端が枢設部とされ、別端が自由端とされ、該枢設部は分離式ベースの枢設孔内に枢設され、且つ回転軸は別にその外周より延伸された少なくとも一つのサポートアームを具え、
該螺旋バネは回転軸の枢設部に嵌合され、且つ螺旋バネの一端が回転軸に固定され、もう一端が分離式ベースに固定され、この螺旋バネが回転軸に径方向回転の回転付勢力を提供し、及び軸方向に前進させる伸張付勢力を提供し、
該連接棒は上枢設端、下枢設端を具え、上枢設端はカバーの枢設側以外の部分に枢設され、
該スライドブロックは分離式ベースの横向きスライド構造内にスライド可能に設けられ、並びに連接棒の下枢設端に枢設され、且つスライドブロックに回転軸の自由端に対応し当接する斜向部が設けられたことを特徴とする、自動止め合わせ式スタンド装置。
【請求項２】
請求項１記載の自動止め合わせ式スタンド装置において、分離式ベースの上表面に凹部が形成され、且つカバーが回転して該凹部内に収容可能とされたことを特徴とする、自動止め合わせ式スタンド装置。
【請求項３】
請求項２記載の自動止め合わせ式スタンド装置において、凹部内に少なくとも一つのサポートアームを収容できる少なくとも一つの収容溝が設けられたことを特徴とする、自動止め合わせ式スタンド装置。
【請求項４】
請求項１記載の自動止め合わせ式スタンド装置において、分離式ベースの横向きスライド構造が横溝とされたことを特徴とする、自動止め合わせ式スタンド装置。
【請求項５】
請求項１記載の自動止め合わせ式スタンド装置において、分離式ベースの上表面に操作孔が形成され、且つ回転軸に操作手段が組み付けられ、該操作手段が該操作孔内に対応し収容可能とされたことを特徴とする、自動止め合わせ式スタンド装置。
【請求項６】
請求項５記載の自動止め合わせ式スタンド装置において、操作手段が固定座と操作板を具え、該固定座が回転軸に組み付けられ、該操作板が該固定座に組み付けられたことを特徴とする、自動止め合わせ式スタンド装置。
【請求項７】
請求項１記載の自動止め合わせ式スタンド装置において、分離式ベースの上表面にキーボード装置が設けられたことを特徴とする、自動止め合わせ式スタンド装置。
【発明の詳細な説明】
【技術分野】
【０００１】
本発明は一種の自動止め合わせ式スタンド装置に係り、特に、携帯式コンピュータ装置に適用される自動止め合わせ式スタンド装置に関する。
【背景技術】
【０００２】
一般に携帯式コンピュータ装置はディスプレイを立てて使用できるようにして使用時の便利性を増すために、往々にしてスタンド装置が支持補助のために組み合わされている。即ち携帯式コンピュータ装置は直接スタンド装置上で直立状態を形成することができる。しかし、一般に携帯式コンピュータ装置をスタンド装置の上で使用する時、一般のスタンド装置は支持と固定のために用いられるが、周知のスタンド装置は手動で操作しなければならず、即ち携帯式コンピュータ装置をスタンド装置の上に置く時、使用者は片手で携帯式コンピュータ装置を保持し、もう一方の手でスタンド装置を操作してそれを携帯式コンピュータ装置の上に固定しなければならず、このような操作ステップは極めて煩わしく効率的でなく、且つ使用上、極めて不便である。
【０００３】
このほか、一般にスタンド装置は長期に使用されると、スタンド装置の磨損によりぐらつきを発生するようになり、そのあるべき機能を喪失した。
【発明の開示】
【発明が解決しようとする課題】
【０００４】
本発明の主要な目的は、一種の自動止め合わせ式スタンド装置を提供することにあり、それは自動止め合わせの設計により使用上の便利性を高めたものとする。
【０００５】
本発明のもう一つの目的は、一種の自動止め合わせ式スタンド装置を提供することにあり、それは部品の間の磨損による支持機能の喪失を防止できるものとする。
【課題を解決するための手段】
【０００６】
請求項１の発明は、携帯式コンピュータ装置の分離式ベースに組み付けられ、該分離式ベースの上表面に枢設構造と、軸方向が該枢設構造に平行な枢設孔が設けられ、該枢設構造及び枢設孔の間に横向きスライド構造が横向きに設けられ、別に分離式ベースの上表面に少なくとも一つの係合凹溝が設けられた自動止め合わせ式スタンド装置であり、
該自動止め合わせ式スタンド装置が、カバー、回転軸、螺旋バネ、連接棒、及びスライドブロックを具え、
該カバーは、枢設側を具え、該枢設側は上述の分離式ベースの枢設構造に枢設され、且つカバーに分離式ベースの少なくとも一つの係合凹溝に対応し係合可能な少なくとも一つの係合凸点が設けられ、
該回転軸は、その一端が枢設部とされ、別端が自由端とされ、該枢設部は分離式ベースの枢設孔内に枢設され、且つ回転軸は別にその外周より延伸された少なくとも一つのサポートアームを具え、
該螺旋バネは回転軸の枢設部に嵌合され、且つ螺旋バネの一端が回転軸に固定され、もう一端が分離式ベースに固定され、この螺旋バネが回転軸に径方向回転の回転付勢力を提供し、及び軸方向に前進させる伸張付勢力を提供し、
該連接棒は上枢設端、下枢設端を具え、上枢設端はカバーの枢設側以外の部分に枢設され、
該スライドブロックは分離式ベースの横向きスライド構造内にスライド可能に設けられ、並びに連接棒の下枢設端に枢設され、且つスライドブロックに回転軸の自由端に対応し当接する斜向部が設けられたことを特徴とする、自動止め合わせ式スタンド装置としている。
請求項２の発明は、請求項１記載の自動止め合わせ式スタンド装置において、分離式ベースの上表面に凹部が形成され、且つカバーが回転して該凹部内に収容可能とされたことを特徴とする、自動止め合わせ式スタンド装置としている。
請求項３の発明は、請求項２記載の自動止め合わせ式スタンド装置において、凹部内に少なくとも一つのサポートアームを収容できる少なくとも一つの収容溝が設けられたことを特徴とする、自動止め合わせ式スタンド装置としている。
請求項４の発明は、請求項１記載の自動止め合わせ式スタンド装置において、分離式ベースの横向きスライド構造が横溝とされたことを特徴とする、自動止め合わせ式スタンド装置としている。
請求項５の発明は、請求項１記載の自動止め合わせ式スタンド装置において、分離式ベースの上表面に操作孔が形成され、且つ回転軸に操作手段が組み付けられ、該操作手段が該操作孔内に対応し収容可能とされたことを特徴とする、自動止め合わせ式スタンド装置としている。
請求項６の発明は、請求項５記載の自動止め合わせ式スタンド装置において、操作手段が固定座と操作板を具え、該固定座が回転軸に組み付けられ、該操作板が該固定座に組み付けられたことを特徴とする、自動止め合わせ式スタンド装置としている。
請求項７の発明は、請求項１記載の自動止め合わせ式スタンド装置において、分離式ベースの上表面にキーボード装置が設けられたことを特徴とする、自動止め合わせ式スタンド装置としている。
【発明の効果】
【０００７】
本発明は自動止め合わせの方式で携帯式コンピュータ装置を支持し、これにより使用上の便利性を高めている。このほか、使用者がスタンド装置を展開或いは閉合する時、回転軸、カバー及び螺旋バネによりサポートアームが携帯式コンピュータ装置に上で自動弾性突出或いは閉合し、これにより手動でのサポートアーム開閉操作による部品間の磨損と、それによる支持機能の喪失の問題を防止することができる。
【発明を実施するための最良の形態】
【０００８】
本発明の自動止め合わせ式スタンド装置は、携帯式コンピュータ装置の分離式ベースに組み付けられ、該分離式ベースの上表面に枢設構造と枢設孔が設けられ、該枢設孔が軸方向にあって枢設構造と平行とされ、且つ枢設構造と枢設孔の間に横向きに、横向きスライド構造が設けられ、このほか、分離式ベースの上表面に少なくとも一つの係合凹溝が設けられている。
【０００９】
このほか、自動止め合わせ式スタンド装置はカバー、回転軸、螺旋バネ、連接棒、及びスライドブロックを具えている。該カバーの枢設側は上述の分離式ベースの枢設構造に枢設され、且つカバーに少なくとも一つの係合凸点が設けられ、該係合凸点は分離式ベースの少なくとも一つの係合凹溝に対応し係合可能である。このほか、回転軸の一端は枢設部とされ、もう一端は自由端とされ、そのうち、枢設部は上述の分離式ベースの枢設孔内に枢設され、且つ回転軸の外周より少なくとも一つのサポートアームが延伸されている。
【００１０】
上述の螺旋バネは回転軸の枢設部に嵌合され、且つ螺旋バネの一端は回転軸に固定され、もう一端は分離式ベースに固定され、この螺旋バネが回転軸に径方向回転の回転付勢力を提供し、及び軸方向に前進させる伸張付勢力を提供する。
【００１１】
また、連接棒は上枢設端、下枢設端を具え、上枢設端はカバーの枢設側以外の部分に枢設され、スライドブロックは分離式ベースの横向きスライド構造内にスライド可能に設けられ、並びに連接棒の下枢設端に枢設され、且つスライドブロックに回転軸の自由端に対応し当接する斜向部が設けられている。
【００１２】
使用時には、まず、カバーを開き、並びにカバーにより連接棒及びスライドブロックを駆動してスライドブロックを後ろ向きにスライドさせる。この時、スライドブロックの斜向部もまた後ろにスライドし、且つスライドブロックの斜向部と回転軸の自由端の対応当接作用、及び回転軸に嵌合された螺旋バネの提供する径方向回転の回転付勢力と軸方向前進の伸張付勢力の作用により、回転軸が軸方向の前進と径方向の回転動作を発生し、且つ回転軸の周囲より延伸されたサポートアームを自動的に上向きに弾性突出させ、携帯式コンピュータ装置を放置してこれを使用するのに供される。また携帯式コンピュータ装置が放置され並びにサポートアームに接触する時、サポートアームに接続された回転軸が携帯式コンピュータ装置の下圧の力を受けて軸方向の小距離移動を発生し、その後、螺旋バネの作用下で回復し、これにより携帯式コンピュータ装置がサポートアームに支持される。
【００１３】
不使用時には、携帯式コンピュータ装置を取り出した後、カバーを分離式ベースの上に閉じ合わせる。この時、カバーが連接棒及びスライドブロックを駆動してスライドブロックを前にスライドさせ、且つスライドブロックの斜向部が再度回転軸の自由端に当接し、回転軸に軸方向移動を発生させ、またカバーが下向きの閉合の過程で、回転軸のサポートアームに圧接し、これによりサポートアームが回転軸を駆動して径方向動作を発生させ、ゆえにサポートアームが回転軸の軸方向移動と径方向回転動作下で、分離式ベースの上に折り畳まれる。
【００１４】
本発明は上述の構造により自動止め合わせの方式で携帯式コンピュータ装置を支持し、これにより使用上の便利性を高めている。このほか、使用者がスタンド装置を開放或いは閉合する時、回転軸、カバー及び螺旋バネによりサポートアームが携帯式コンピュータ装置に上で自動弾性突出或いは閉合し、これにより手動でのサポートアームに対する操作による部品間の磨損と、それによる支持機能の喪失の問題を防止することができる。
【実施例１】
【００１５】
図１は本発明の実施状態表示図であり、図２は本発明の開放時の立体図である。本発明の自動止め合わせ式スタンド装置は、携帯式コンピュータ装置８の分離式ベース１に組み付けられ、この分離式ベース１の上表面に枢設構造１１と枢設孔１２が設けられ、そのうち、枢設孔１２が枢設構造１１の軸方向に平行とされ、且つ枢設構造１１と枢設孔１２の間に横向きに横向きスライド構造１４が設けられ、本実施例では該横向きスライド構造１４は横溝とされている。
【００１６】
上述の分離式ベース１の上表面には更にキーボード装置１７が設けられ、且つ分離式ベース１の上表面に別に二つの係合凹溝１６、一つの凹部１３、及び操作孔１５が設けられ、そのうち、凹部１３内に二つの収容溝１３１、１３２が凹設されている。
【００１７】
自動止め合わせ式スタンド装置は、カバー２、回転軸３、螺旋バネ４、連接棒５及びスライドブロック６を具えている。そのうち、カバー２の枢設側２０は分離式ベース１の枢設構造１１に枢設され、並びに回転して凹部１３内に閉合され、且つカバー２に別に二つの係合凸点２１が設けられ、該係合凸点２１は分離式ベース１の二つの係合凹溝１６に対応し係合可能である。
【００１８】
このほか、回転軸３の一端は枢設部３１とされ、もう一端は自由端３２とされ、そのうち枢設部３１は分離式ベース１の枢設孔１２内に枢設され、且つ回転軸３は別にその外周より延伸された二つのサポートアーム３３、３４を具え、このサポートアーム３３、３４は分離式ベース１の凹部１３の二つの収容溝１３１、１３２内に対応し収容可能である。図中の回転軸１３には並びに操作手段３５が組み付けられ、それは分離式ベース１の操作孔１５内に対応し収容可能で、この操作手段３５は固定座３５１、及び操作板３５２を具え、そのうち固定座３５１は回転軸３に組み付けられ、操作板３５２は固定座３５１に組み付けられる。
【００１９】
このほか、螺旋バネ４は回転軸３の枢設部３１に嵌合され、且つ螺旋バネ４の一端は回転軸３に固定され、もう一端は分離式ベース１に固定され、また螺旋バネ４が回転軸３に径方向回転の回転付勢力と、軸方向前進の伸張付勢力を提供する。
【００２０】
また、連接棒５は上枢設伸張付勢力５１、及び下枢設端５２を具え、該上枢設端５１はカバー２の枢設側２０以外の部分に枢設され、スライドブロック６が分離式ベース１の横向きスライド構造１４内にスライド可能に設けられ、並びに連接棒５の下枢設端５２に枢設され、且つスライドブロック６に斜向部６１が設けられ、該斜向部６１は回転軸３の自由端３２に対応しそれと当接する。
【００２１】
図１、２を共に参照されたい。並びに図２中の矢印を参照されたい。携帯式コンピュータ装置８を支持して使用する時、まずカバー２を開放し、それに連接棒５を駆動させてスライドブロック６を後方にスライドさせる。このときスライドブロック６の斜向部６１もまた後方に移動し、スライドブロック６の斜向部６１と回転軸３の自由端３２が相互当接作用、及び回転軸３に嵌合された螺旋バネ４が回転軸３に提供する径方向回転付勢力と軸方向前進の伸張付勢力の作用により、回転軸３が軸方向に前進すると共に径方向に回転し、これにより回転軸３の外周より延伸された二つのサポートアーム３３、３４が上向きに自動的に突出し、携帯式コンピュータ装置８の放置に供される。携帯式コンピュータ装置８がサポートアーム３３、３４に置かれる時、サポートアーム３３、３４に接続された携帯式コンピュータ装置８が下圧力を受けて軸方向の小距離の移動を発生し、その後、螺旋バネ４の作用により、すぐに回復し、これにより携帯式コンピュータ装置８がサポートアーム３３、３４に支持される。
【００２２】
図１、及び図３の本発明の閉合時の立体図を参照されたい。並びに図３中の矢印を参照されたい。不使用時には、まず携帯式コンピュータ装置８を取り出し、その後、カバー２を下向きに回して分離式ベース１に閉じ合わせる。この時、カバー２が連接棒５及びスライドブロック６を駆動してスライドブロックを前進させ、且つスライドブロック６の斜向部６１が再度回転軸３の自由端３２に接触し、回転軸３に軸方向移動を発生させ、またカバー２が下向きの閉合の過程で、回転軸３に接続されたサポートアーム３３、３４に圧接し、サポートアーム３３、３４に回転軸３を駆動させて回転軸３に径方向回転を発生させて、カバーが分離式ベース１の二つの収容溝１３１、１３２内に収容される。且つカバー２は分離式ベース１の凹部１３内に収容される。このとき、カバー２の二つの係合凸点２１が分離式ベース１の二つの係合凹溝１６と対応し嵌合し、位置決めを形成する。
【００２３】
本発明は以上の構造設計により自動止め合わせの方式で携帯式コンピュータ装置８を支持し、これにより使用上の便利性を高めている。このほか、使用者がスタンド装置のカバー２を開放或いは閉合する時、回転軸３、螺旋バネ４によりサポートアーム３３、３４が分離式ベースにあって自動弾性突出或いは閉合し、これにより手動での操作により部品間の磨損と、それによる支持機能の喪失の問題を防止することができる。
【図面の簡単な説明】
【００２４】
【図１】本発明の実施状態表示図である。
【図２】本発明の開放時の立体図である。
【図３】本発明の閉合時の立体図である。
【符号の説明】
【００２５】
１  分離式ベース          １１  枢設構造          １２  枢設孔
１３  凹部                １３１  収容溝          １３２  収容溝
１４  横向きスライド構造  １５  操作孔            １６  係合凹溝
１７  キーボード装置      ２  カバー              ２０  枢設側
２１  係合凸点            ３  回転軸              ３１  枢設部
３２  自由端              ３３  サポートアーム    ３４  サポートアーム
３５  操作手段            ３５１  固定座          ３５２  操作板
４  螺旋バネ              ５  連接棒              ５１  上枢設端
５２  下枢設端            ６  スライドブロック    ６１  斜向部
８  携帯式コンピュータ装置
【図１】
2005115899.tif 000003
【図２】
2005115899.tif 000004
【図３】
2005115899.tif 000005